【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
吐出を行うための吐出素子と、
第１電圧が供給される第１ノードに電気的に接続されたドレイン端子、第２電圧が供給される第２ノードに電気的に接続されたゲート端子、並びに、前記吐出素子に電気的に接続されたソース端子及びバックゲート端子を含むＭＯＳトランジスタと、
前記吐出素子と接地ノードとの間の電流経路に配されたスイッチ手段と、
前記第２ノードに前記第２電圧が供給されていない場合に、前記ソース端子及び前記バックゲート端子と前記ゲート端子との間の電位差を、前記第２電圧よりも小さくするユニットと、を備える
ことを特徴とする吐出素子基板。
【請求項２】
前記ＭＯＳトランジスタはソースフォロワ動作を行う
ことを特徴とする請求項１に記載の吐出素子基板。
【請求項３】
前記スイッチ手段は、ドレイン端子が前記吐出素子に接続され、ソース端子が接地ノードに接続された第２のＭＯＳトランジスタを含む
ことを特徴とする請求項１または請求項２に記載の吐出素子基板。
【請求項４】
前記ユニットは、少なくとも１つのダイオードを含み、
前記少なくとも１つのダイオードは、前記ＭＯＳトランジスタの前記ソース端子及び前記バックゲート端子にアノードが接続され、前記ＭＯＳトランジスタの前記ゲート端子にカソードが接続されている
ことを特徴とする請求項１乃至３のいずれか１項に記載の吐出素子基板。
【請求項５】
前記ユニットは、少なくとも１つのダイオードを含み、
前記少なくとも１つのダイオードは、前記ＭＯＳトランジスタの前記ドレイン端子にアノードが接続され、前記ＭＯＳトランジスタの前記ゲート端子にカソードが接続されている
ことを特徴とする請求項１乃至３のいずれか１項に記載の吐出素子基板。
【請求項６】
前記ユニットは、少なくとも１つの第２のダイオードをさらに含み、
前記少なくとも１つの第２のダイオードは、前記ＭＯＳトランジスタの前記ゲート端子にアノードが接続され、前記ＭＯＳトランジスタの前記ソース端子及び前記バックゲート端子にカソードが接続されている
ことを特徴とする請求項４または請求項５に記載の吐出素子基板。
【請求項７】
前記ユニットは、少なくとも１つの第２のダイオードをさらに含み、
前記少なくとも１つの第２のダイオードは、前記ＭＯＳトランジスタの前記ゲート端子にアノードが接続され、前記ＭＯＳトランジスタの前記ドレイン端子にカソードが接続されている
ことを特徴とする請求項４または請求項５に記載の吐出素子基板。
【請求項８】
前記少なくとも１つのダイオードの数量と、前記少なくとも１つの第２のダイオードの数量とは、前記第１ノードに供給されるべき前記第１電圧と前記第２ノードに供給されるべき前記第２電圧との大小関係に基づいて定められた
ことを特徴とする請求項６または請求項７に記載の吐出素子基板。
【請求項９】
前記少なくとも１つの第２のダイオードの数量は、前記少なくとも１つのダイオードの数量よりも大きい
ことを特徴とする請求項６または請求項７に記載の吐出素子基板。
【請求項１０】
前記ユニットは、
前記第２ノードの電位を検出する検出部と、
前記検出部からの検出結果に基づいて、前記ＭＯＳトランジスタの前記ソース端子及び前記バックゲート端子と、前記接地ノードとを電気的に接続する第２のスイッチ手段と、を含む
ことを特徴とする請求項１乃至３のいずれか１項に記載の吐出素子基板。
【請求項１１】
前記ユニットは、
前記第２ノードの電位を検出する検出部と、
前記検出部からの検出結果に基づいて前記スイッチ手段を導通状態にする制御部と、を含む
ことを特徴とする請求項１乃至３のいずれか１項に記載の吐出素子基板。
【請求項１２】
前記ＭＯＳトランジスタおよび前記スイッチ手段は、それぞれＮＭＯＳトランジスタであり、
前記検出部は、
抵抗素子と、
前記第１ノードに接続されたソース端子、前記第２ノードに接続されたゲート端子、および、前記抵抗素子に接続されたドレイン端子を有するＰＭＯＳトランジスタと、を含む
ことを特徴とする請求項１０または請求項１１に記載の吐出素子基板。
【請求項１３】
前記ＭＯＳトランジスタはＤＭＯＳトランジスタで構成されている
ことを特徴とする請求項１乃至１２のいずれか１項に記載の吐出素子基板。
【請求項１４】
吐出を行うための吐出素子と、
第１電圧が供給される第１ノードに電気的に接続されたドレイン端子、第２電圧が供給される第２ノードに電気的に接続されたゲート端子、並びに、前記吐出素子に電気的に接続されたソース端子及びバックゲート端子を含むＭＯＳトランジスタと、
前記吐出素子と接地ノードとの間の電流経路に配されたスイッチ手段と、
少なくとも１つのダイオードと、を備え、
前記少なくとも１つのダイオードは、前記ＭＯＳトランジスタの前記ソース端子及び前記バックゲート端子にアノードが接続され、前記ＭＯＳトランジスタの前記ゲート端子にカソードが接続されている
ことを特徴とする吐出素子基板。
【請求項１５】
吐出を行うための吐出素子と、
第１電圧が供給される第１ノードに電気的に接続されたドレイン端子、第２電圧が供給される第２ノードに電気的に接続されたゲート端子、並びに、前記吐出素子に電気的に接続されたソース端子及びバックゲート端子を含むＭＯＳトランジスタと、
前記吐出素子と接地ノードとの間の電流経路に配されたスイッチ手段と、
少なくとも１つのダイオードと、を備え、
前記少なくとも１つのダイオードは、前記ＭＯＳトランジスタの前記ドレイン端子にアノードが接続され、前記ＭＯＳトランジスタの前記ゲート端子にカソードが接続されている
ことを特徴とする吐出素子基板。
【請求項１６】
吐出を行うための吐出素子と、
第１電圧が供給される第１ノードに電気的に接続されたドレイン端子、第２電圧が供給される第２ノードに電気的に接続されたゲート端子、並びに、前記吐出素子に電気的に接続されたソース端子及びバックゲート端子を含むＭＯＳトランジスタと、
前記吐出素子と接地ノードとの間の電流経路に配されたスイッチ手段と、
前記第２ノードの電位を検出する検出部と、
前記検出部からの検出結果に基づいて、前記ＭＯＳトランジスタの前記ソース端子及び前記バックゲート端子と、前記接地ノードとを電気的に接続する第２のスイッチ手段と、を備える
ことを特徴とする吐出素子基板。
【請求項１７】
吐出を行うための吐出素子と、
第１電圧が供給される第１ノードに電気的に接続されたドレイン端子、第２電圧が供給される第２ノードに電気的に接続されたゲート端子、並びに、前記吐出素子に電気的に接続されたソース端子及びバックゲート端子を含むＭＯＳトランジスタと、
前記吐出素子と接地ノードとの間の電流経路に配されたスイッチ手段と、
前記第２ノードの電位を検出する検出部と、
前記検出部からの検出結果に基づいて前記スイッチ手段を導通状態にする制御部と、を備える
ことを特徴とする吐出素子基板。
【請求項１８】
請求項１乃至１７のいずれか１項に記載の吐出素子基板と、
前記吐出素子に対応して設けられ、前記吐出素子に電流が流れたことに応答して液体を吐出する吐出口と、を備える
ことを特徴とする吐出ヘッド。
【請求項１９】
請求項１８に記載の吐出ヘッドと、
前記吐出ヘッドを駆動する吐出ヘッドドライバと、を備える
ことを特徴とする液体吐出装置。
【手続補正２】
【補正対象書類名】明細書
【補正対象項目名】０００７
【補正方法】変更
【補正の内容】
【０００７】
本発明の一つの側面は吐出素子基板にかかり、前記吐出素子基板は、吐出を行うための吐出素子と、第１電圧が供給される第１ノードに電気的に接続されたドレイン端子、第２電圧が供給される第２ノードに電気的に接続されたゲート端子、並びに、前記吐出素子に電気的に接続されたソース端子及びバックゲート端子を含むＭＯＳトランジスタと、前記吐出素子と接地ノードとの間の電流経路に配されたスイッチ手段と、前記第２ノードに前記第２電圧が供給されていない場合に、前記ソース端子及び前記バックゲート端子と前記ゲート端子との間の電位差を、前記第２電圧よりも小さくするユニットと、を備えることを特徴とする。